(57)【特許請求の範囲】
【請求項１】
緊急警報のための商用移動警報サービス（Commercial Mobile Alert Service（ＣＭＡＳ））メッセージを受信することと、
前記ＣＭＡＳメッセージを搬送するショートメッセージサービス（ＳＭＳ）放送メッセージを、前記ＣＭＡＳメッセージの少なくとも１つのフィールドを前記ＳＭＳ放送メッセージの少なくとも１つのフィールドへマッピングすると共に前記ＣＭＡＳメッセージの少なくとも１つの他のフィールドを前記ＳＭＳ放送メッセージのデータフィールドへマッピングすることにより生成することと、
通信のための方法。
【請求項２】
さらに、前記ＣＭＡＳメッセージの残余のマッピングされていない複数の全フィールドを前記ＳＭＳ放送メッセージの前記データフィールドへマッピングすることを含む、請求項１に記載の方法。
【請求項３】
前記ＣＭＡＳメッセージの前記少なくとも１つのフィールドを前記ＳＭＳ放送メッセージの前記少なくとも１つのフィールドへ前記マッピングすることが、前記ＣＭＡＳメッセージの識別子フィールドを前記ＳＭＳ放送メッセージのメッセージ識別子フィールドへ、前記ＣＭＡＳメッセージのカテゴリーフィールドを前記ＳＭＳ放送メッセージのカテゴリーフィールドへ、前記ＣＭＡＳメッセージの警報処理フィールドを前記ＳＭＳ放送メッセージの前記カテゴリーフィールドへ、および前記ＣＭＡＳメッセージの言語フィールドを前記ＳＭＳ放送メッセージの言語フィールドへ、のうちの少なくとも１つのマッピングを含む、請求項１に記載の方法。
【請求項４】
前記ＳＭＳ放送メッセージを前記生成することが、前記緊急警報のための情報を提供するウェブサイトに対する統一資源識別子（ＵＲＩ）リンクを含むように前記ＳＭＳ放送メッセージを生成することを含む、請求項１に記載の方法。
【請求項５】
前記ＳＭＳ放送メッセージを前記生成することが、前記緊急警報のための情報を提供する放送チャネルを受信するために複数の無線デバイスによって用いられる放送受信情報を含むように前記ＳＭＳ放送メッセージを生成することを含み、前記放送受信情報は前記放送チャネルおよび前記放送チャネルのチャネル番号を送るために用いられる少なくとも１つの無線技術を含む、請求項１に記載の方法。
【請求項６】
前記ＳＭＳ放送メッセージを前記生成することが、前記緊急警報を引き起こす緊急事態のための位置情報を含むように前記ＳＭＳ放送メッセージを生成することを含み、前記位置情報は前記緊急事態の座標、前記緊急事態の高度、前記緊急事態の半径、前記緊急事態の移動方向、および前記緊急事態の速度の少なくとも１つを含む、請求項１に記載の方法。
【請求項７】
前記ＣＭＡＳメッセージは前記緊急警報のための情報を提供する信号源のためのリンク、放送受信情報、および前記緊急警報を引き起こす緊急事態のための位置情報の少なくとも１つを含む、請求項１に記載の方法。
【請求項８】
緊急警報のための商用移動警報サービス（Commercial Mobile Alert Service（ＣＭＡＳ））メッセージを受信し、前記ＣＭＡＳメッセージを搬送するショートメッセージサービス（ＳＭＳ）放送メッセージを、前記ＣＭＡＳメッセージの少なくとも１つのフィールドを前記ＳＭＳ放送メッセージの少なくとも１つのフィールドへマッピングすると共に前記ＣＭＡＳメッセージの少なくとも１つの他のフィールドを前記ＳＭＳ放送メッセージのデータフィールドへマッピングすることにより生成するように構成された少なくとも１つのプロセッサを含む、通信のための装置。
【請求項９】
前記少なくとも１つのプロセッサが、前記ＣＭＡＳメッセージの残余のマッピングされていない複数の全フィールドを前記ＳＭＳ放送メッセージの前記データフィールドへマッピングするように構成された、請求項８に記載の装置。
【請求項１０】
前記少なくとも１つのプロセッサが、前記緊急警報のための情報を提供するウェブサイトに対する統一資源識別子（ＵＲＩ）リンクを含むようにして前記ＳＭＳ放送メッセージを生成するように構成された、請求項８に記載の方法。
【請求項１１】
前記少なくとも１つのプロセッサが、前記緊急警報のための情報を提供する放送チャネルを受信するために複数の無線デバイスによって用いられる放送受信情報を含むようにして前記ＳＭＳ放送メッセージを生成するように構成された、請求項８に記載の装置。
【請求項１２】
前記少なくとも１つのプロセッサが、前記緊急警報を引き起こす緊急事態のための位置情報を含むようにして前記ＳＭＳ放送メッセージを生成するように構成された、請求項８に記載の装置。
【請求項１３】
さらに、前記ＳＭＳ放送メッセージを搬送するシステム放送メッセージを、前記ＣＭＡＳメッセージの少なくとも１つのフィールドを前記システム放送メッセージの少なくとも１つのフィールドへマッピングすると共に前記ＳＭＳ放送メッセージを前記システム放送メッセージのデータフィールドへマッピングすることにより生成することと、
前記システム放送メッセージを複数の無線デバイスへ送ることと、
を含む、請求項１に記載の方法。
【請求項１４】
前記システム放送メッセージが、関連する１つの放送アドレスを有するデータバーストメッセージを含み、前記ＣＭＡＳメッセージの前記少なくとも１つのフィールドを前記システム放送メッセージの少なくとも１つのフィールドへ前記マッピングすることが、前記ＣＭＡＳメッセージのカテゴリーフィールドを前記放送アドレスのサービスフィールドへ、前記ＣＭＡＳメッセージの警報処理フィールドを前記放送アドレスの前記サービスフィールドへ、および前記ＣＭＡＳメッセージの言語フィールドを前記放送アドレスの言語フィールドへ、のうちの少なくとも１つのマッピングを含む、請求項１３に記載の方法。
【請求項１５】
前記少なくとも１つのプロセッサは、さらに前記ＳＭＳ放送メッセージを搬送するシステム放送メッセージを、前記ＣＭＡＳメッセージの少なくとも１つのフィールドを前記システム放送メッセージの少なくとも１つのフィールドへマッピングすると共に前記ＳＭＳ放送メッセージを前記システム放送メッセージのデータフィールドへマッピングすることにより生成し、前記システム放送メッセージを複数の無線デバイスへ送るように構成された、請求項８に記載の装置。
【請求項１６】
緊急警報のための商用移動警報サービス（Commercial Mobile Alert Service（ＣＭＡＳ））メッセージを搬送するショートメッセージサービス（ＳＭＳ）放送メッセージを受信することと、
前記ＳＭＳ放送メッセージの少なくとも１つのフィールドから前記ＣＭＡＳメッセージの少なくとも１つのフィールドを取得することと、
前記ＳＭＳ放送メッセージのデータフィールドから前記ＣＭＡＳメッセージの残余の複数のフィールドを取得することと、
を含む、通信のための方法。
【請求項１７】
前記ＳＭＳ放送メッセージの少なくとも１つのフィールドから前記ＣＭＡＳメッセージの少なくとも１つのフィールドを前記取得することが、前記ＳＭＳ放送メッセージのメッセージ識別フィールドからの前記ＣＭＡＳメッセージの識別子フィールド、前記ＳＭＳ放送メッセージのカテゴリーフィールドからの前記ＣＭＡＳメッセージのカテゴリーフィールド、前記ＳＭＳ放送メッセージの前記カテゴリーフィールドからの前記ＣＭＡＳメッセージの警報処理フィールド、および前記ＳＭＳ放送メッセージの言語フィールドからの前記ＣＭＡＳメッセージの言語フィールド、のうちの少なくとも１つを取得することを含む、請求項１６に記載の方法。
【請求項１８】
前記ＳＭＳ放送メッセージを搬送するシステム放送メッセージを受信することと、
前記システム放送メッセージに関係づけられた放送アドレスの少なくとも１つのフィールドから前記ＣＭＡＳメッセージの少なくとも１つのフィールドを取得することと、
前記システム放送メッセージのデータフィールドから前記ＳＭＳ放送メッセージを取得することと、
をさらに含む、請求項１６に記載の方法。
【請求項１９】
前記ＳＭＳ放送メッセージから、前記緊急警報のための情報を提供するウェブサイトに対する統一資源識別子（ＵＲＩ）リンクを取得することをさらに含む、請求項１６に記載の方法。
【請求項２０】
前記ＳＭＳ放送メッセージから放送受信情報を取得することをさらに含み、前記放送受信情報は前記緊急警報のための情報を提供する放送チャネルを受信するために用いられ、前記放送受信情報は前記放送チャネルおよび前記放送チャネルのチャネル番号を送るために用いられる少なくとも１つの無線技術を含む、請求項１６に記載の方法。
【請求項２１】
前記ＳＭＳ放送メッセージから緊急事態のための位置情報を取得することをさらに含み、前記位置情報は、前記緊急事態の座標、前記緊急事態の高度、前記緊急事態の半径、前記緊急事態の移動方向、および前記緊急事態の速度の少なくとも１つを含む、請求項１６に記載の方法。
【請求項２２】
無線デバイスの位置を決定することと、
前記無線デバイスの前記位置と前記緊急事態のための前記位置情報とに基づいて警戒情報を生成することと、
をさらに含む、請求項２１に記載の方法。
【請求項２３】
緊急警報のための商用移動警報サービス（Commercial Mobile Alert Service（ＣＭＡＳ））メッセージを搬送するショートメッセージサービス（ＳＭＳ）放送メッセージを受信し、前記ＳＭＳ放送メッセージの少なくとも１つのフィールドから前記ＣＭＡＳメッセージの少なくとも１つのフィールドを取得し、前記ＳＭＳ放送メッセージのデータフィールドから前記ＣＭＡＳメッセージの残余の複数のフィールドを取得するように構成された少なくとも１つのプロセッサを含む、通信のための装置。
【請求項２４】
前記少なくとも１つのプロセッサが、前記ＳＭＳ放送メッセージを搬送するシステム放送メッセージを受信するように、前記システム放送メッセージに関係づけられた放送アドレスの少なくとも１つのフィールドから前記ＣＭＡＳメッセージの少なくとも１つのフィールドを取得するように、および前記システム放送メッセージのデータフィールドから前記ＳＭＳ放送メッセージを取得するように構成された、請求項２３に記載の装置。
【請求項２５】
前記少なくとも１つのプロセッサが、前記ＳＭＳ放送メッセージから、前記緊急警報のための情報を提供するウェブサイトに対する統一資源識別子（ＵＲＩ）リンクを取得するように構成された、請求項２３に記載の装置。
【請求項２６】
前記少なくとも１つのプロセッサが、前記ＳＭＳ放送メッセージから放送受信情報を取得するように構成され、前記放送受信情報は前記緊急警報のための情報を提供する放送チャネルを受信するために用いられる、請求項２３に記載の装置。
【請求項２７】
前記少なくとも１つのプロセッサが、前記ＳＭＳ放送メッセージから緊急事態のための位置情報を取得するように構成され、前記位置情報は、前記緊急事態の座標、前記緊急事態の高度、前記緊急事態の半径、前記緊急事態の移動方向、および前記緊急事態の速度の少なくとも１つを含む、請求項２３に記載の装置。
【請求項２８】
緊急警報のための商用移動警報サービス（Commercial Mobile Alert Service（ＣＭＡＳ））メッセージを搬送するショートメッセージサービス（ＳＭＳ）放送メッセージを受信するための手段と、
前記ＳＭＳ放送メッセージの少なくとも１つのフィールドから前記ＣＭＡＳメッセージの少なくとも１つのフィールドを取得するための手段と、
前記ＳＭＳ放送メッセージのデータフィールドから前記ＣＭＡＳメッセージの残余の複数のフィールドを取得するための手段と、
を含む、通信のための装置。
【請求項２９】
前記ＳＭＳ放送メッセージを搬送するシステム放送メッセージを受信するための手段と、
前記システム放送メッセージの放送アドレスの少なくとも１つのフィールドから前記ＣＭＡＳメッセージの少なくとも１つのフィールドを取得するための手段と、
前記システム放送メッセージのデータフィールドから前記ＳＭＳ放送メッセージを取得するための手段と、
をさらに含む、請求項２８に記載の装置。
【請求項３０】
前記ＳＭＳ放送メッセージから、前記緊急警報のための情報を提供するウェブサイトに対する統一資源識別子（ＵＲＩ）リンクを取得するための手段をさらに含む、請求項２８に記載の装置。
【請求項３１】
前記ＳＭＳ放送メッセージから放送受信情報を取得するための手段をさらに含み、前記放送受信情報は前記緊急警報のための情報を提供する放送チャネルを受信するために用いられる、請求項２８に記載の装置。
【請求項３２】
前記ＳＭＳ放送メッセージから緊急事態のための位置情報を取得するための手段をさらに含み、前記位置情報は、前記緊急事態の座標、前記緊急事態の高度、前記緊急事態の半径、前記緊急事態の移動方向、および前記緊急事態の速度の少なくとも１つを含む、請求項２８に記載の装置。
【請求項３３】
少なくとも１つのコンピュータによって実行可能なコンピュータプログラムであって、前記ブログラムは、
前記少なくとも１つのコンピュータに、緊急警報のための商用移動警報サービス（Commercial Mobile Alert Service（ＣＭＡＳ））メッセージを搬送するショートメッセージサービス（ＳＭＳ）放送メッセージを受信させるためのコードと、
前記少なくとも１つのコンピュータに、前記ＳＭＳ放送メッセージの少なくとも１つのフィールドから前記ＣＭＡＳメッセージの少なくとも１つのフィールドを取得させるためのコードと、
前記少なくとも１つのコンピュータに、前記ＳＭＳ放送メッセージのデータフィールドから前記ＣＭＡＳメッセージの残余の複数のフィールドを取得させるためのコードとを含む、コンピュータプログラム。
【請求項３４】
前記ＳＭＳ放送メッセージは関連する１つの放送アドレスを有するデータバーストメッセージ内で受信され、
さらに、前記データバーストメッセージのための前記放送アドレスの少なくとも１つのフィールドから前記ＣＭＡＳメッセージの少なくとも１つのフィールドを取得することと、
前記データバーストメッセージのデータフィールドから前記ＳＭＳ放送メッセージを取得することと、
を含む、請求項１６に記載の方法。
【請求項３５】
さらに、前記受信されたＳＭＳ放送メッセージのすべてまたは一部分に基づいてハッシュダイジェストを生成することと、
前記生成されたハッシュダイジェストを、格納された複数のＳＭＳ放送メッセージに対するハッシュダイジェストと比較することと、
前記比較の結果に基づいて前記受信されたＳＭＳ放送メッセージを格納するか廃棄するかを決定することと、
を含む、請求項１６に記載の方法。
【請求項３６】
前記受信されたＳＭＳ放送メッセージを格納するかまたは廃棄するかを前記決定することが、
前記生成されたハッシュダイジェストが前記格納された複数のＳＭＳ放送メッセージに対する前記ハッシュダイジェストのいずれとも合致しない場合、前記受信されたＳＭＳ放送メッセージを格納することと、
前記生成されたハッシュダイジェストが前記格納された複数のＳＭＳ放送メッセージに対する前記ハッシュダイジェストのいずれかと合致する場合、前記受信されたＳＭＳ放送メッセージを廃棄することと、
を含む、請求項３５に記載の方法。
【請求項３７】
前記少なくとも１つのプロセッサが、さらに前記受信されたＳＭＳ放送メッセージのすべてまたは一部分に基づいてハッシュダイジェストを生成し、前記生成されたハッシュダイジェストを、格納された複数のＳＭＳ放送メッセージに対するハッシュダイジェストと比較し、前記比較の結果に基づいて前記受信されたＳＭＳ放送メッセージを格納するか廃棄するかを決定するように構成された、請求項２３に記載の装置。
【請求項３８】
前記少なくとも１つのプロセッサが、さらに前記生成されたハッシュダイジェストが前記格納された複数のＳＭＳ放送メッセージに対する前記ハッシュダイジェストのいずれとも合致しない場合、前記受信されたＳＭＳ放送メッセージを格納するように、および前記生成されたハッシュダイジェストが前記格納された複数のＳＭＳ放送メッセージに対する前記ハッシュダイジェストのいずれかと合致する場合、前記受信されたＳＭＳ放送メッセージを廃棄するように構成された、請求項３７に記載の装置。
【請求項３９】
さらに、複数の無線デバイスへ放送するためのネットワークエンティティへ前記ＳＭＳ放送メッセージを送ることを含む、請求項１に記載の方法。
【請求項４０】
前記少なくとも１つのプロセッサは、さらに前記ＳＭＳ放送メッセージを複数の無線デバイスへ放送するためのネットワークエンティティへ送るように構成された、請求項８に記載の装置。
【発明の詳細な説明】
【関連出願】
【０００１】
米国特許法１１９条のもとでの優先権主張
本特許出願は、２００８年１１月１８日に出願され、ここの譲受人に譲渡され、ここに参照として明確に組み込まれる米国仮出願番号61/115,832、名称"Methods and Apparatus for Using CDMA SMS for CMAS With Interactions of LBS, Mobile TV and Browser,"(「ＬＢＳ、モバイルＴＶおよびブラウザの相互動作によるＣＭＡＳのためのＣＤＭＡ  ＳＭＳを用いるための方法および装置」)に対する優先権を主張する。
【技術分野】
【０００２】
本開示は一般に通信に関する。より詳細には、無線デバイスへ放送メッセージを配信し、無線デバイスでメッセージを受信するための手法に関する。
【背景技術】
【０００３】
携帯電話のような無線デバイスは無線通信ネットワークとの双方向通信をサポートし得る。また、無線デバイスは無線ネットワークから様々な形式の一方向放送メッセージを受信可能であり得る。これらの放送メッセージはシステムメッセージ、ページングメッセージ、テキストメッセージ、放送警報メッセージを含み得る。放送警報メッセージはユーザが関心を持ちそうな事態をユーザに警報するために放送形式で送られるメッセージである。このメッセージは個人ユーザへ送られるユニキャストメッセージとは対照的である。例えば、放送警報メッセージは、緊急警報のためのものであり得るし、またハリケーン、火事等のような差し迫った緊急事態をユーザに知らせ得る。放送警報メッセージを効率的に送受することは望ましいことであり得る。
【発明の概要】
【０００４】
ショートメッセージサービス(ＳＭＳ)を用いて放送警報メッセージを配信および受信するための手法をここに述べる。本手法は商用移動警報サービス(Commercial Mobile Alert Service(ＣＭＡＳ))のような様々な放送警報サービスに対して適用可能であり得る。ＣＭＡＳは、様々な形式の緊急放送警報を無線デバイスへ配信するように連邦通信委員会(ＦＣＣ)によって命じられている。本手法はＣＭＡＳに従って生成されＣＭＡＳメッセージと呼ばれるような様々な放送警報メッセージのために用いられ得る。
【０００５】
一設計において、ＳＭＳメッセージセンタは、緊急警報のためのＣＭＡＳメッセージ(または他の何らかの放送警報メッセージ)を受信し得るし、ＣＭＡＳメッセージを搬送するＳＭＳ放送メッセージを生成し得る。ＳＭＳメッセージセンタは、ＣＭＡＳメッセージの少なくとも１つのフィールドをＳＭＳ放送メッセージの少なくとも１つのフィールドへマッピングし得るし、以下に述べるように、ＣＭＡＳメッセージの残余のフィールドを、ＳＭＳ放送メッセージのデータフィールドへマッピングし得る。また、ＳＭＳ放送メッセージは(ｉ)緊急警報のための情報を提供するウェブサイトに対する統一資源識別子(Uniform Resource Identifier(ＵＲＩ))リンク、(ｉｉ)緊急警報のための情報を提供する放送チャネルを受信するために用いられる放送受信情報、(ｉｉｉ)緊急警報を引き起こす緊急事態のための位置情報(例えば、緯度、経度、高度、半径、方向、速度など)、および／または(ｉｖ)他の情報を含み得る。
【０００６】
一設計において、基地局は緊急警報のためのＣＭＡＳメッセージを搬送するＳＭＳ放送メッセージを受信し得て、ＳＭＳ放送メッセージを搬送するシステム放送メッセージ(例えばデータバーストメッセージ)を生成し得る。基地局は、ＣＭＡＳメッセージの少なくとも１つのフィールドをシステム放送メッセージのための放送アドレスの少なくとも１つのフィールドへマッピングし得て、ＳＭＳ放送メッセージをシステム放送メッセージのデータフィールドへマッピングし得る。放送アドレスは、放送メッセージを受信するか否かを決定するための、無線デバイスによって用いられる情報を含み得る。基地局はそのカバレッジ内の無線デバイスへシステム放送メッセージを放送し得る。
【０００７】
一設計において、無線デバイスはＳＭＳ放送メッセージを搬送するシステム放送メッセージを受信し得る。ＳＭＳ放送メッセージ緊急警報用ＣＭＡＳメッセージをさらに搬送し得る無線デバイスはシステム放送メッセージのための放送アドレスの少なくとも１つのフィールドからＣＭＡＳメッセージの少なくとも１つのフィールドを取得し得る。無線デバイスはシステム放送メッセージのデータフィールドからＳＭＳ放送メッセージを取得し得る。無線デバイスは、また、ＳＭＳ放送メッセージの少なくとも１つのフィールドからＣＭＡＳメッセージの少なくとも１つのフィールドを取得し得るし、ＳＭＳ放送メッセージのデータフィールドからＣＭＡＳメッセージの残余のフィールドを取得し得る。また、無線デバイスはＳＭＳ放送メッセージからＵＲＩリンク、放送受信情報、緊急事態のための位置情報、および／または他の情報を取得し得る。
【０００８】
別の設計において、無線デバイスは重複放送メッセージを探索し得る。無線デバイスは無線ネットワークから放送メッセージ(例えば、ＣＭＡＳメッセージ、ＳＭＳ放送メッセージ、またはシステム放送メッセージ)を受信し得る。無線デバイスは受信された放送メッセージのすべてまたは一部に基づいて、ハッシュダイジェストを生成し得る。無線デバイスは受信された放送メッセージを格納するかまたは廃棄するかを決定するために、生成されたハッシュダイジェストを、格納された放送メッセージに対するハッシュダイジェストと比較し得る。生成されたハッシュダイジェストが格納された放送メッセージに対するいかなるハッシュダイジェストとも合致しない場合、無線デバイスは受信された放送メッセージを格納し得るし、そうでなければ受信された放送メッセージを廃棄し得る。
【０００９】
以下に本開示の様々な態様および特徴をより詳細に述べる。
【図面の簡単な説明】
【００１０】
【図１】図１は無線通信ネットワークを示す図。
【図２】図２はＣＭＡＳメッセージを示す図。
【図３】図３は「ＳＭＳ放送メッセージ」および「データバーストメッセージ」を示す図。
【図４】図４はＧＳＭ(登録商標)セル放送ＳＭＳ(ＣＢＳ)メッセージを示す図。
【図５】図５はＳＭＳメッセージを介してＣＭＡＳメッセージを配信するためにＳＭＳメッセージセンタによって行われるプロセスを示す図。
【図６】図６はＣＭＡＳメッセージを搬送するＳＭＳメッセージを配信するために基地局によって行われるプロセスを示す図。
【図７】図７はＣＭＡＳメッセージを搬送するＳＭＳメッセージを受信するために無線デバイスによって行われるプロセスを示す図。
【図８】図８は重複放送メッセージを探索するために無線デバイスによって行われるプロセスを示す図。
【図９】図９は無線デバイス、基地局、およびＳＭＳメッセージセンタのブロック図。
【発明を実施するための形態】
【００１１】
「代表的」という言葉は、ここでは「例、実例、または例証として役立つこと」を意味するために用いられる。ここで「代表的」と記述されたいかなる設計も、必ずしも他の設計より好ましいまたは有利であると解釈されない。
【００１２】
図１はＳＭＳを介する放送警報メッセージ(例えば、ＣＭＡＳメッセージ)の配信をサポートする無線通信ネットワーク１００を示す。用語「ネットワーク」および「システム」はしばしば互換性を持って用いられる。無線ネットワーク１００は多くの基地局および他のネットワークエンティティを含み得る。簡単さのために、図１に１つの基地局１２０および１つの移動交換局(ＭＳＣ)１３０のみが示される。基地局は無線デバイスと通信する局であってよく、ノードＢ、発展型ノードＢ(ｅＮＢ)、アクセスポイント、などとも呼ばれ得る。ＭＳＣ１３０はそのカバレッジエリア内の無線デバイスに対して、交換機能(例えばメッセージとデータの経路選定)を行い得る。ＭＳＣ１３０は一組の基地局と接続し、これらの基地局のカバレッジ下の無線デバイスのための通信を制御し得る。無線ネットワーク１００は、簡単さのために図１に示さない他のネットワークエンティティも含み得る。
【００１３】
無線ネットワーク１００は符号分割多重接続(ＣＤＭＡ)ネットワーク、時分割多重接続(ＴＤＭＡ)ネットワーク、周波数分割多重接続(ＦＤＭＡ)ネットワーク、直交ＦＤＭＡ(ＯＦＤＭＡ)ネットワーク、および単一キャリアＦＤＭＡ(ＳＣ−ＦＤＭＡ)ネットワーク、その他であり得る。ＣＤＭＡネットワークはｃｄｍａ２０００、ユニバーサル地上無線アクセス(ＵＴＲＡ)等の無線技術を実施し得る。ｃｄｍａ２０００はＩＳ−２０００、ＩＳ−９５およびＩＳ−８５６の諸規格をカバーする。ＵＴＲＡは広帯域ＣＤＭＡ(ＷＣＤＭＡ)およびＣＤＭＡの他の変形を含む。ＴＤＭＡネットワークは広域自動車通信システム(ＧＳＭ)のような無線技術を実施し得る。ＯＦＤＭＡネットワークは発展型ＵＴＲＡ(Ｅ−ＵＴＲＡ)、ウルトラ移動広帯域(ＵＭＢ)、ＩＥＥＥ８０２．１６(ＷｉＭＡＸ)、ＩＥＥＥ８０２．１１(Ｗｉ−Ｆｉ)、Ｆｌａｓｈ−ＯＦＤＭ(登録商標)、その他のような無線技術を実施し得る。ＵＴＲＡおよびＥ−ＵＴＲＡはユニバーサル移動通信システム(ＵＭＴＳ)の部分である。３ＧＰＰ長期発展型(ＬＴＥ)および進化ＬＴＥ(ＬＴＥ−Ａｄｖａｎｃｅｄ(ＬＴＥ−Ａ))はＥ−ＵＴＲＡを用いるＵＭＴＳの新しいリリース版である。ＵＴＲＡ、Ｅ−ＵＴＲＡ、ＵＭＴＳ、ＬＴＥ、ＬＴＥ−Ａ、およびＧＳＭは「第３世代パートナシッププロジェクト」(３ＧＰＰ)という名称の組織からの文書に述べられている。ｃｄｍａ２０００およびＵＭＢは「第３世代パートナシッププロジェクト２」(３ＧＰＰ２)という名称の組織からの文書に述べられている。
【００１４】
ＳＭＳメッセージセンタ１４０は無線デバイスのためのＳＭＳサービスをサポートし得る。ＳＭＳメッセージセンタ１４０は無線デバイスのためのＳＭＳメッセージを生成し、格納し、中継し、および転送することに関与し得る。ＳＭＳメッセージセンタ１４０はＡＮＳＩ−４１ネットワークにおけるＡＮＳＩ−４１メッセージセンタ、ＧＳＭ移動通信応用部(GSM Mobile Application Part(ＧＳＭ−ＭＡＰ))ネットワークにおけるＧＳＭセル放送センタ(ＣＢＣ)、等であり得る。ＡＮＳＩ−４１およびＧＳＭ−ＭＡＰはローミングおよび高度なサービスを可能にする移動ネットワーク化プロトコルであって、ＡＮＳＩ−４１は３ＧＰＰ２ネットワークに一般的に用いられ、ＧＳＭ−ＭＡＰは３ＧＰＰネットワークに用いられる。ＳＭＳはネットワーク技術依存であり、また２つのＳＭＳ実施がＡＮＳＩ−４１およびＧＳＭ−ＭＡＰに対して定義されている。簡単さのために、ＡＮＳＩ−４１のためのＳＭＳの実施を、ここではＣＤＭＡ  ＳＭＳと呼び、ＧＳＭ−ＭＡＰのためのＳＭＳの実施をＧＳＭ  ＳＭＳと呼ぶ。
【００１５】
ＣＭＡＳサーバ１５０は緊急警報および他のシナリオのためのＣＭＡＳメッセージを生成および／または転送し得る。ＣＭＡＳサーバ１５０は警報ゲートウェイ、その他とも呼ばれ得る。ＣＭＡＳサーバ１５０はＳＭＳメッセージセンタ１４０へＣＭＡＳメッセージを送り得る。ＳＭＳメッセージセンタはＣＭＡＳメッセージのためのＳＭＳメッセージを生成し得て、次にＳＭＳメッセージをＭＳＣ１３０へ無線デバイスへの放送のために転送し得る。ＣＭＡＳサーバ１５０、ＳＭＳメッセージセンタ１４０、およびＭＳＣ１３０は(図１に示すように)相互に直接、または(図１に示さない)他のネットワークおよび／またはネットワークエンティティを介して間接的に通信し得る。
【００１６】
放送ネットワーク１０２は多くの放送局および他のネットワークエンティティを含み得る。簡単さのために、図１に１つの放送局１２２および１つの放送センタ１３２のみが示される。放送局１２２は無線デバイスのユーザが関心を持ち得る様々な形式の情報を放送し得る。放送センタ１３２はコンテンツプロバイダから情報／コンテンツ受信し得て、放送局１２２のためのデータストリームを生成し得る。例えば、放送センタ１３２は各放送チャネルのためのデータストリームを提供し得るし、また放送局１２２はすべての放送チャネルのためのデータストリームを送信し得る。各放送チャネルは音声、ビデオ、テキスト、および／または他の情報を搬送し得る。例えば、放送チャネルはテレビジョンチャンネル、オーディオ放送チャネル等のためのものであり得る。放送ネットワーク１０２はＭｅｄｉａＦＬＯＴＭ、携帯用ディジタルビデオ放送(Digital Video Broadcasting for Handhelds(ＤＶＢ−Ｈ))、統合地上ディジタルテレビ放送(Integrated Services Digital Broadcasting for Terrestrial Television Broadcasting(ＩＳＤＢ−Ｔ))、その他のような無線技術を実施し得る。
【００１７】
無線デバイス１１０は音声、ビデオ、データ、ＳＭＳ、その他のような様々なサービスのための無線ネットワーク１００において基地局１２０と通信し得る。また、無線デバイス１１０はＳＭＳ、放送、その他のような様々なサービスのための放送ネットワーク１０２内の放送局１２２からの放送送信信号を受信し得る。無線デバイス１１０は静止、または移動であり得て、移動局(ＭＳ)、ユーザ機器(ＵＥ)、アクセス端末(ＡＴ)、加入者ユニット、局等とも呼ばれ得る。無線デバイス１１０は携帯電話、携帯情報端末(ＰＤＡ)、無線通信デバイス、無線モデム、ハンドヘルドデバイス、移動デバイス、ハンドセット、ラップトップコンピュータ、パーソナルコンピュータ(ＰＣ)、放送受信機、その他であり得る。
【００１８】
無線デバイス１１０は、また米国の全地球測位システム(ＧＰＳ)、ヨーロッパのガリレオシステム、ロシアのＧＬＯＮＡＳＳシステム、または他の何らかの全地球的航法衛星システム(ＧＮＳＳ)の一部であり得る複数の衛星１６０からの信号を受信し得る。無線デバイス１１０はこれら衛星１６０からの信号を測定し、これら衛星のための疑似距離測定値を取得し得る。無線デバイス１１０は基地局および／または放送局からの信号も測定し、これら衛星のためのタイミング測定値を取得し得る。擬似距離測定値および／またはタイミング測定値は無線デバイス１１０の位置推定値を導出するために用いられ得る。また、位置推定値は場所推定値、場所決定などと呼ばれ得る。
【００１９】
一般に、放送警報メッセージは様々なシナリオに対して生成され得て、また様々な形式の情報を含み得る。これらは放送警報メッセージが生成されるシナリオに依存し得る。また、放送警報メッセージは様々なメッセージフォーマットを用いて送られ得る。明快さのために、以下の記述の多くはＣＭＡＳメッセージのためのものである。
【００２０】
図２は緊急警報に用いられ得るＣＭＡＳメッセージの代表的フォーマットを示す。ＣＭＡＳメッセージはCMAE_protocol_versionフィールドを含み、Ｎ≧１としてＮ個のレコードが続く。ＣＭＡＥはＣＭＡＳのためのＭＳＣ１３０と無線デバイス１１０の間のインタフェイスを指す。各レコードはレコードの形式を示すE_Record_Typeフィールド、レコードの長さを示すE_Record_Lenフィールド、およびレコードの情報を搬送する形式固有(Type-specific)フィールドを含む。異なる形式固有フィールドは異なる形式のレコード内に含まれ得る。
【００２１】
０ｘ００に設定されたE_Record_Typeフィールドを有するレコードに対する形式固有フィールドを表１に一覧する。ここで「０ｘ」は１６進数を意味する。
【表１】
0005502886.tif 000002
【００２２】
０ｘ０１に設定されたE_Record_Typeフィールドを有するレコードに対する形式固有フィールドが表２に一覧される。
【表２】
0005502886.tif 000003
【００２３】
０ｘ０２に設定されたE_Record_Typeフィールドを有するレコードに対する形式固有フィールドを図２に示し、表３に一覧する。
【表３】
0005502886.tif 000004
【００２４】
一般に、ＣＭＡＳメッセージは任意の数のレコードを含み得る。各レコードは任意の形式の情報に対して任意のセットのフィールドを含み得る。明快さのために、以下の記載の多くは表１乃至３で与えられたＣＭＡＳメッセージの定義を前提とする。
【００２５】
一態様において、ＣＭＡＳメッセージのような放送警報メッセージは、無線デバイスへの放送であり得るＳＭＳ放送メッセージで送られ得る。ＳＭＳ放送メッセージへのＣＭＡＳメッセージのカプセル化は、各ＳＭＳ実施が異なる能力を有し、異なるメッセージ形式とフォーマットを利用するため、異なるＳＭＳ実施に対して異なる方法で行われ得る。カプセル化は、異なる情報を搬送し得る異なる放送警報メッセージに対して異なる方法でも行われ得る。明快さのために、ＣＤＭＡ  ＳＭＳにおけるＣＭＡＳメッセージのＳＭＳ放送メッセージへのカプセル化を以下に述べる。
【００２６】
図３は、ＣＤＭＡ  ＳＭＳにおいてＣＭＡＳメッセージをＳＭＳ放送メッセージ内で送る設計を示す。ＣＤＭＡ  ＳＭＳに関して、プロトコルスタックは以下の４つのレイヤを含む。
【００２７】
・ ＳＭＳテレサービスレイヤ−アプリケーションレベルのデータフォーマットおよび手順を提供。
【００２８】
・ ＳＭＳトランスポートレイヤ−ＳＭＳメッセージのエンドツーエンド配信を管理。
【００２９】
・ ＳＭＳ中継レイヤ−トランスポートレイヤとリンクレイヤの間のインタフェイスを提供。
【００３０】
・ リンクレイヤ−メッセージ送信を行う。
【００３１】
ＣＤＭＡ  ＳＭＳに関して、無線デバイスへ放送されるデータは最初にテレサービスレイヤにおけるメッセージである「ＳＭＳ配信メッセージ」内にカプセル化され得る。「ＳＭＳ配信メッセージ」はメッセージの属性を記述する様々なフィールドを含み、また、トランスポートレイヤのメッセージである「ＳＭＳ放送メッセージ」内にさらにカプセル化され得る。「ＳＭＳ放送メッセージ」はトランスポート関連機能に用いられる様々なフィールドを含み、また、ｃｄｍａ２０００のレイヤ３のメッセージである「データバーストメッセージ」内にさらにカプセル化され得る。「データバーストメッセージ」は処理され無線デバイスへ放送され得る。
【００３２】
「ＳＭＳ配信メッセージ」はメッセージのための異なる形式の情報を伝達するために用いられる多くのサブパラメータを含む。表４は放送データに用いられる時の「ＳＭＳ配信メッセージ」のサブパラメータのセットを一覧する。「ＳＭＳ配信メッセージ」は表４に記載されない他のサブパラメータも含み得る。
【表４】
0005502886.tif 000005
【００３３】
表５は、「ＳＭＳ配信メッセージ」のメッセージ識別子サブパラメータ内のフィールドのセットを一覧する。
【表５】
0005502886.tif 000006
【００３４】
表６は、「ＳＭＳ配信メッセージ」ユーザデータサブパラメータ内のフィールドのセットを一覧する。(もし含まれていれば)ユーザデータヘッダフィールドおよびＣＭＡＳメッセージは図３に示すように、ユーザデータサブパラメータのＣＨＡＲｉフィールドで送られ得る。
【表６】
0005502886.tif 000007
【００３５】
「ＳＭＳ放送メッセージ」はメッセージのための異なる形式の情報を伝達するために用いられる多くのパラメータを含む。表７は「ＳＭＳ放送メッセージ」のパラメータのセットを一覧する。「ＳＭＳ放送メッセージ」は表７に一覧されない他のパラメータも含み得る。
【表７】
0005502886.tif 000008
【００３６】
表８は、「ＳＭＳ放送メッセージ」のサービスカテゴリーパラメータ内のフィールドのセットを一覧する。カテゴリー値の範囲(１０００乃至２０００の範囲)はＣＭＡＳに対して予約され得る。一設計において、異なるカテゴリー値は異なる警報カテゴリーまたは緊急事態、例えば地質的警戒(Geo)、悪天候警戒(Met)、公安警戒(Safety)、セキュリティ警戒(Security)、救助警報(Rescue)、火災警戒(Fire)、保健警戒(Health)、環境警戒(Env)、輸送警報(Transport)、ユーティリティ、通信および他の非輸送インフラストラクチャ(Infra)、化学、生物、放射線、原子力または多量の爆発物の脅威またはａｔｔａｃｈ(ＣＢＲＮＥ)、他の事態(Others)、その他に割り当てられ得る。一設計において、異なるカテゴリー値が異なる警報処理、例えば特別処理無し、大統領警報、児童誘拐緊急時、切迫した生命の脅威、その他に割り当てられ得る。一般に、カテゴリー値の任意のセットはサービスカテゴリーパラメータで送られる任意の形式のＣＭＡＳ情報に対して定義され得る。
【表８】
0005502886.tif 000009
【００３７】
表９は、「ＳＭＳ放送メッセージ」のベアラデータパラメータ内のフィールドのセットを一覧する。ベアラデータパラメータは「ＳＭＳ配信メッセージ」のサブパラメータを搬送し得るサブパラメータレコードを含み得る。
【表９】
0005502886.tif 000010
【００３８】
「ＳＭＳ放送メッセージ」はメッセージの様々な属性のためのフィールドを含む放送アドレス(ＢＣ＿ＡＤＤＲ)に関係づけられ得る。表１０は、ＢＣ＿ＡＤＤＲのフィールドを一覧する。
【表１０】
0005502886.tif 000011
【００３９】
ｃｄｍａ２０００における「データバーストメッセージ」は様々な用途およびサービスのためのデータを送るために用いられ得る。表１１は、放送ＳＭＳに関連する「データバーストメッセージ」のフィールドのいくつかを一覧する。「データバーストメッセージ」は簡単さのために表１１に一覧されない他のフィールドを含む。
【表１１】
0005502886.tif 000012
【００４０】
「データバーストメッセージ」はレイヤ２メッセージにカプセル化され得るレイヤ３メッセージである。ＢＣ＿ＡＤＤＲはレイヤ２メッセージのフィールドに含まれ得る。
【００４１】
「ＳＭＳ配信メッセージ」、「ＳＭＳ放送メッセージ」およびＢＣ＿ＡＤＤＲは3GPP2 C.S0015-B、名称"Short Message Service (SMS) for Wideband Spread Spectrum Systems"(「広帯域スペクトル拡散システム用ショートメッセージサービス(ＳＭＳ)」)に記述されている。「データバーストメッセージ」は3GPP2 C.S0005D、名称"Upper Layer (Layer 3) Signaling Standard for cdma2000 Spread Spectrum Systems"(「ｃｄｍａ２０００スペクトル拡散システム用上位レイヤ(レイヤ３)信号規格」)に記述されている。これらの文書は一般に入手可能である。
【００４２】
図３に示すように、ＣＭＡＳメッセージは「ＳＭＳ配信メッセージ」のユーザデータサブパラメータで送られ得る。「ＳＭＳ配信メッセージ」は「ＳＭＳ放送メッセージ」のベアラデータパラメータで送られ得る。さらに「ＳＭＳ放送メッセージ」は「データバーストメッセージ」のＣＨＡＲｉフィールドで送られ得る。ＣＭＡＳメッセージのフィールドは「ＳＭＳ配信メッセージ」、「ＳＭＳ放送メッセージ」および「データバーストメッセージ」のフィールドに様々な方法でマッピングされ得る。
【００４３】
表１２は、一設計に従う、ＣＭＡＳメッセージの様々なフィールドの、ＣＤＭＡおよびＳＭＳメッセージのフィールドへのマッピングを示す。
【表１２】
0005502886.tif 000013
【００４４】
表１２はＣＭＡＳメッセージの、「データバーストメッセージ」の「ＳＭＳ放送メッセージ」への代表的マッピングを示している。「ＳＭＳ放送メッセージ」は表１２に一覧したサブパラメータのすべてまたはサブセットを含み得る「ＳＭＳ配信メッセージ」を搬送し得る。例えば、メッセージ配信時警報、問合せ用番号(Call-Back Number)、およびメッセージ表示モードサブパラメータは任意選択的であり得るし、「ＳＭＳ配信メッセージ」に含まれ得るかまたは含まれ得ない。また、ＣＭＡＳメッセージは「ＳＭＳ放送メッセージ」へ他の方法でマッピングされ得る。
【００４５】
また、ＣＭＡＳメッセージはＧＳＭ−ＭＡＰのＧＳＭセル放送ＳＭＳ(ＣＢＳ)メッセージで送られ得る。ＳＭＳメッセージセンタ１４０は最大１５ＣＢＳページを含み得るＣＢＳメッセージを生成し得る。各ＣＢＳページは８８オクテットの固定ブロックを含み、ＧＳＭ  ＣＢＳメッセージとして無線で無線デバイスへ送信され得る。
【００４６】
図４にＣＭＡＳメッセージをＧＳＭ  ＳＭＳのＧＳＭ  ＣＢＳメッセージで送る一設計を示す。ＧＳＭ  ＣＢＳメッセージは５つのパラメータを含む。これらは図４に示され、表１３に記述される。ＧＳＭ  ＣＢＳメッセージは一般に入手可能なETSI TS 123 040、名称"Technical realization of Short Message Service (SMS)"(「ショートメッセージサービス(ＳＭＳ)の技術的実現」)に記述されている。
【表１３】
0005502886.tif 000014
【００４７】
表１４は、一設計に従い、ＣＭＡＳメッセージの様々なフィールドの、ＧＳＭ  ＣＢＳメッセージのフィールドへのマッピングを示す。ＣＭＡＳメッセージは他の方法でもＧＳＭ  ＣＢＳメッセージへマッピングされ得る。
【表１４】
0005502886.tif 000015
【００４８】
図１に戻り、ＳＭＳメッセージセンタ１４０はＣＭＡＳサーバ１５０からＣＭＡＳメッセージを受信し得て、ＣＭＡＳメッセージを搬送するＳＭＳ放送メッセージを生成し得る。ＳＭＳ放送メッセージはＣＤＭＡ  ＳＭＳの「ＳＭＳ放送メッセージ」またはＧＳＭ  ＳＭＳのＧＳＭ  ＣＢＳメッセージであり得る。ＳＭＳメッセージセンタ１４０はＳＭＳ放送メッセージの様々なフィールドを上述したように設定し得る。基地局１２０はＭＳＣ１３０を介してＳＭＳ放送メッセージを受信し得て、システム放送メッセージを生成し得る。このシステム放送メッセージはｃｄｍａ２０００の「データバーストメッセージ」またはＧＳＭの等価なメッセージであり得る。基地局１２０は「データバーストメッセージ」の様々なフィールドを上述したように設定し得る。
【００４９】
一設計において、ＵＲＩリンクがＣＭＡＳメッセージのためのＳＭＳ放送メッセージで送られ得る。無線デバイス１１０は、ＵＲＩリンクを受信し得て、緊急警報に関する付加的情報を取得するためにユーザをウェブサイトに行くように促し得る。ユーザは無線デバイス１１０でブラウザを立ち上げ得て、ＵＲＩリンクによって与えられたウェブサイトへ行き得る。ウェブサイトは緊急警報に関する画像、テキスト記述、オーディオクリップ、ビデオクリップ、その他のような様々な形式のマルチメディアを提供し得る。ＵＲＩリンクは様々な方法で送られ得る。一設計において、Header_Indフィールドは「１」に設定され得て、ＵＲＩリンクを含むユーザヘッダデータフィールドは図３に示すようにユーザデータサブパラメータに含まれ得る。別の設計において、ＣＭＡＳフィールドはＵＲＩリンクを搬送し得て、またＣＭＡＳメッセージ内に含まれ得る。
【００５０】
一設計において、放送受信情報はＣＭＡＳメッセージのためのＳＭＳ放送メッセージで送られ得る。無線デバイス１１０は、放送受信情報を受信し得て、緊急警報に関する付加的情報を取得するためにユーザを特定の放送チャネル(例えば、モバイルテレビチャンネル)を受信するように促し得る。ユーザは、その放送チャネルを受信するために無線デバイス１１０で放送受信用アプリケーションを立ち上げ得る。放送チャネルは緊急警報に関するビデオ、オーディオ、テキスト、その他のようなマルチメディアを提供し得る。放送受信情報は様々な方法で送られ得る。一設計において、Header_Indフィールドは「１」に設定され得て、放送受信情報を含むユーザヘッダデータフィールドは図３に示すようにユーザデータサブパラメータに含まれ得る。表１５は、一設計に従う、放送受信情報のためのユーザヘッダデータフィールドの複数のフィールドのセットを一覧する。別の設計において、ＣＭＡＳフィールドは放送受信情報を搬送し得るし、ＣＭＡＳメッセージに含まれ得る。
【表１５】
0005502886.tif 000016
【００５１】
一設計において、緊急事態のための位置情報は緊急警報のためのＣＭＡＳメッセージで送られ得る。緊急事態はハリケーン、火災，その他であり得る。表１５は、一設計に従う、位置情報を搬送し得るCMAE_event_position_informationレコードのフィールドを一覧する。表１５の第２列は各フィールドが必須(Ｍ)であるかまたは任意選択的(Ｏ)であるかを示す。
【表１６】
0005502886.tif 000017
【００５２】
無線デバイス１１０は緊急事態のための位置情報を受信し得て、ユーザのための警戒情報を生成し得る。無線デバイス１１０は無線デバイス１１０の位置推定値を取得するために位置決めを行い得る。位置推定値は無線デバイス１１０の現在位置の緯度と経度を含み得るし、さらに無線デバイス１１０の高度、移動方向、移動速度、その他を含み得る。無線デバイス１１０はその現在位置情報とＣＭＡＳメッセージから受信した事態の位置情報とを比較し得る。次に、無線デバイス１１０はユーザのための警戒情報を生成し得る。警戒情報は、ユーザと事態の中心の間の距離、ユーザが事態の影響領域(impact area)内かどうか、ユーザが影響領域へ向かっているかどうか、影響領域がどれほど早くユーザに達するか、影響領域がユーザに達する予想時刻、ユーザが影響領域から離れるべきかどうか、影響領域を避けるためにユーザが移動すべき方向、その他をユーザに通知し得る。
【００５３】
一設計において、問合せ番号がＣＭＡＳメッセージのためのＳＭＳ放送メッセージで送られ得る。無線デバイス１１０は問合せ番号を受信し得て、ユーザを緊急警報に関するより多くの情報を聞くために問合せ番号へ音声電話を掛けるように促し得る。問合せ番号はユーザが緊急番号に掛ける必要がある場合に用いる緊急番号であり得る。問合せ番号は、表１２に示すように、問合せ番号パラメータで送られ得る。
【００５４】
他の情報(例えばｅメールアドレス)も、緊急警報のためのＳＭＳ放送メッセージで送られ得る。この情報は無線デバイス１１０によってユーザに提示され得る。また、この情報は、行動を起こすこと、緊急警報のための付加的情報を取得すること、修正アクション(correction action)をとること、その他へユーザを促すために、無線デバイス１１０を起動し得る。この情報はＣＭＡＳメッセージで様々な方法で送られ得て、および／または、様々な方法でＳＭＳ放送メッセージへマッピングされ得る。
【００５５】
無線デバイス１１０は多くの基地局から１つ以上の緊急警報のための多くの放送メッセージを受信し得る。例えば、異なる放送エリアにおける基地局は、緊急警報のための同じＣＭＡＳメッセージについて複数の異なるＳＭＳメッセージセンタからＳＭＳ放送メッセージを送信し得る。無線デバイス１１０は重複した放送メッセージを探索し得て、重複メッセージを廃棄し得る。これらＳＭＳ放送メッセージはMessage_IDおよびメッセージセンタタイムスタンプフィールドに対して同じ値を有し得る。重複検出はこれらのフィールドに頼ることなく行われ得る。
【００５６】
重複検出の一設計において、無線デバイス１１０は、無線デバイス１１０によって受信された各放送メッセージのすべてまたは部分にわたるハッシュダイジェストを計算し得る。放送メッセージは、ＳＭＳ放送メッセージ、ＣＭＡＳメッセージ、システム放送メッセージ、または他の何らかの放送メッセージであり得る。また、ハッシュダイジェストはメッセージダイジェスト、ハッシュなどとも呼ばれ得る。例えば、ハッシュダイジェストは(ｉ)「ＳＭＳ配信メッセージ」のＣＨＡＲｉフィールドもしくは全ＣＭＡＳメッセージで送られるＣＭＡＳメッセージの部分、(ｉｉ)ユーザデータサブパラメータもしくは全「ＳＭＳ配信メッセージ」、(ｉｉｉ)ベアラデータパラメータもしくは全「ＳＭＳ放送メッセージ」、(ｉｖ)ＣＨＡＲｉフィールドもしくは全「データバーストメッセージ」、または(ｖ)メッセージの任意の１つもしくは任意の組合せのすべてもしくは何らかの部分、に基づいて生成され得る。ハッシュダイジェストはＳＨＡ−１(安全なハッシュアルゴリズム)、ＳＨＡ−２(これはＳＨＡ−２２４、ＳＨＡ−２５６、ＳＨＡ−３８４およびＳＨＡ−５１２を含む)、ＭＤ−４(メッセージダイジェスト)、ＭＤ−５、または当業者に既知の他の何らかの安全なハッシュアルゴリズムに基づいて生成され得る。代替的に、非安全なハッシュ(例えば、巡回冗長検査(ＣＲＣ))も用いられ得る。無線デバイス１１０は生成されたハッシュダイジェストを、現在の格納されたメッセージまたは前に受信されたメッセージの対する(もしあれば)すべての格納されたハッシュダイジェストと比較し得る。無線デバイス１１０は、生成されたハッシュダイジェストがいかなるハッシュダイジェストにも合致しない場合、新たに受信されたメッセージを格納し得るし、そうでなければ新たに受信されたメッセージを破棄し得る。
【００５７】
重複検出のためにハッシュダイジェストを用いることは一定の利点を提供し得る。第１に、ハッシュダイジェスト間の比較は実際のメッセージ間の比較よりもより高速に、より少ないメモリーを用いて行われ得る。第２に、メッセージの一意性は比較的小さいサイズのハッシュダイジェストにおいて効率的に獲得され得る。第３に、これら放送メッセージのための小さいサイズのハッシュは、より遅いアクセス速度を有し得る不揮発性(ＮＶ)メモリーまたはフラッシュメモリーではなく、より速いアクセスのためのランダムアクセスメモリー(ＲＡＭ)内に格納されることが可能である。
【００５８】
図５はＳＭＳメッセージを介してＣＭＡＳメッセージ(または、他の何らかの放送警報メッセージ)を配信するためのプロセスの一設計５００を示す。プロセス５００はＳＭＳメッセージセンタ１４０または他の何らかのネットワークエンティティによって行われ得る。緊急警報のためのＣＭＡＳメッセージが受信され得る(ブロック５１２)。ＣＭＡＳメッセージを搬送するＳＭＳ放送メッセージが生成され得る(ブロック５１４)。ＳＭＳ放送メッセージはＡＮＳＩ−４１の「ＳＭＳ放送メッセージ」、ＧＳＭ−ＭＡＰのＧＳＭ  ＣＢＳメッセージ、その他を含み得る。ＳＭＳ放送メッセージは無線デバイスへの放送のためのネットワークエンティティへ送られ得る(ブロック５１６)。
【００５９】
ブロック５１４の一設計において、ＣＭＡＳメッセージの少なくとも１つのフィールドはＳＭＳ放送メッセージの少なくとも１つのフィールドへマッピングされ得る。例えば、ＣＭＡＳメッセージの識別子(例えば、CMAE_identifier)フィールドはＳＭＳ放送メッセージのメッセージ識別子(例えば、Message_ID)フィールドへマッピングされ得るし、また、ＣＭＡＳメッセージのカテゴリー(例えばCMAE_category)フィールドまたは警報処理(例えばCMAE_alert_handling)フィールドは、ＳＭＳ放送メッセージのカテゴリー(例えば、Category)フィールドへマッピングされ得るし、また、ＣＭＡＳメッセージの言語(例えば、CMAE_language)フィールドはＳＭＳ放送メッセージの言語(例えば、Language Indicator)フィールドへマッピングされ得る、等々。ＣＭＡＳメッセージの残余のフィールドはＳＭＳ放送メッセージのデータ(例えば、Bearer Data)フィールドへマッピングされ得る。
【００６０】
一設計において、ＳＭＳ放送メッセージは緊急警報のための情報を提供するウェブサイトに対するＵＲＩリンクを含み得る。別の設計において、ＳＭＳ放送メッセージは緊急警報のための情報を提供する放送チャネルを受信するために無線デバイスによって使用される放送受信情報を含み得る。放送受信情報は放送チャネル、放送チャネルのチャネル番号、その他を送るために用いられる無線技術を含み得る。さらに別の設計において、ＳＭＳ放送メッセージは緊急警報を引き起こす緊急事態のための位置情報を含み得る。位置情報は緊急事態の中心の座標(例えば、緯度および経度)、緊急事態の高度、緊急事態の半径、緊急事態の移動方向、緊急事態の速度、その他を含み得る。ＳＭＳ放送メッセージは他の情報も含み得る。
【００６１】
図６に、ＣＭＡＳメッセージ(または他の何らかの放送警報メッセージ)を搬送するＳＭＳメッセージを配信するためのプロセスの一設計６００を示す。プロセス６００は基地局１２０または他の何らかのネットワークエンティティによって行われ得る。緊急警報のためのＣＭＡＳメッセージを搬送するＳＭＳ放送メッセージが受信され得る(ブロック６１２)。ＳＭＳ放送メッセージを搬送するシステム放送メッセージが生成され得る(ブロック６１４)。システム放送メッセージはｃｄｍａ２０００の「データバーストメッセージ」または他の無線技術の他の何らかのメッセージを含み得る。システム放送メッセージは無線デバイスへ送られ得る(ブロック６１６)。
【００６２】
ブロック６１４の一設計において、ＣＭＡＳメッセージの少なくとも１つのフィールドはシステム放送メッセージの少なくとも１つのフィールドへマッピングされ得る。例えば、システム放送メッセージは関連する１つの放送アドレス(ＢＣ＿ＡＤＤＲ)を有するデータバーストメッセージを含み得る。ＣＭＡＳメッセージのカテゴリー(例えばCMAE_category)フィールドまたは警報処理(例えばCMAE_alert_handling)フィールドは、放送アドレスのサービス(例えば、Service)フィールドへマッピングされ得るし、また、ＣＭＡＳメッセージの言語(例えば、CMAE_language)フィールドは放送アドレスの言語(例えば、Language)フィールドへマッピングされ得る、等々。ＳＭＳ放送メッセージはシステム放送メッセージのデータ(例えば、CHARi)フィールドへマッピングされ得る。また、上述したように、ＣＭＡＳメッセージのフィールドはシステム放送メッセージへマッピングされ得る。
【００６３】
図７は、ＣＭＡＳメッセージ(または他の何らかの放送警報メッセージ)を搬送するＳＭＳメッセージを受信するためのプロセスの一設計７００を示す。プロセス７００は無線デバイス１１０または他の何らかのエンティティによって行われ得る。ＳＭＳ放送メッセージを搬送するシステム放送メッセージが受信され得る。ＳＭＳ放送メッセージは緊急警報のためのＣＭＡＳメッセージをさらに搬送し得る(ブロック７１２)。ＣＭＡＳメッセージの少なくとも１つのフィールドがシステム放送メッセージのための放送アドレスの少なくとも１つのフィールドから取得され得る(ブロック７１４)。ＳＭＳ放送メッセージが、システム放送メッセージのデータフィールドから取得され得る(ブロック７１６)。
【００６４】
ＣＭＡＳメッセージの少なくとも１つのフィールドがＳＭＳ放送メッセージの少なくとも１つのフィールドから取得され得る(ブロック７１８)。例えば、ＣＭＡＳメッセージの識別子フィールドはＳＭＳ放送メッセージのメッセージ識別子フィールドから取得され得るし、また、ＣＭＡＳメッセージのカテゴリーフィールドまたは警報処理フィールドは、ＳＭＳ放送メッセージのカテゴリーフィールドから取得され得るし、また、ＣＭＡＳメッセージの言語フィールドはＳＭＳ放送メッセージの言語フィールドから取得され得る、等々。ＣＭＡＳメッセージの残余のフィールドはＳＭＳ放送メッセージのデータフィールドから取得され得る(ブロック７２０)。
【００６５】
一設計において、ＵＲＩリンクはＳＭＳ放送メッセージから取得され得て、緊急警報のための情報を提供するウェブサイトにアクセスするために用いられ得る。別の設計において、放送受信情報はＳＭＳ放送メッセージから取得され得て、緊急警報のための情報を提供する放送チャネルを受信するために用いられ得る。さらに別の設計において、緊急事態のための位置情報はＳＭＳ放送メッセージから取得され得る。位置情報は緊急事態の中心の座標、緊急事態の高度、緊急事態の半径、緊急事態の移動方向、緊急事態の速度、その他を含み得る。無線デバイスの位置が決定され得る。次に、無線デバイスの位置と緊急事態のための位置情報とに基づいて警戒情報が生成され得る。警戒情報はいかなる上述した情報も含み得る。他の情報もＳＭＳ放送メッセージから取得され得る。
【００６６】
図８に、重複放送メッセージを探索するためのプロセスの一設計８００を示す。プロセス８００は無線デバイス１１０または他の何らかのエンティティによって行われ得る。放送メッセージが無線ネットワークから受信され得る(ブロック８１２)。放送メッセージは緊急警報のための放送警報メッセージ(例えば、ＣＭＡＳメッセージ)、ＳＭＳ放送メッセージ、システム放送メッセージ、その他であり得る。受信された放送メッセージのすべてまたは一部分に基づいてハッシュダイジェストが生成され得る(ブロック８１４)。生成されたハッシュダイジェストが、格納された放送メッセージに対するハッシュダイジェストと比較され得る(ブロック８１６)。この比較の結果に基づいて、受信された放送メッセージを格納するか、または廃棄するかが決定され得る(ブロック８１８)。受信された放送メッセージは、生成されたハッシュダイジェストが、格納された放送メッセージに対するいかなるハッシュダイジェストにも合致しない場合、格納および／またはユーザに表示され得る。そうでなければ受信された放送メッセージは廃棄され得る。
【００６７】
図９に、図１の無線デバイス１１０、基地局１２０、およびＳＭＳメッセージセンタ１４０の一設計のブロック図を示す。ＳＭＳメッセージセンタ１４０内で、メッセージバッファ９４４はＣＭＡＳサーバ１５０から受信したＣＭＡＳメッセージ、および／または、他のネットワークエンティティから受信した他の放送警報メッセージを格納し得る。メッセージプロセッサ９４６は、例えば上述したように、ＣＭＡＳメッセージのためのＳＭＳ放送メッセージを生成し得るし、ＣＭＡＳメッセージのＳＭＳ放送メッセージへのマッピングを行い得る。制御器／プロセッサ９４０はＳＭＳメッセージセンタ１４０における動作を指示し得る。プロセッサ９４０、および／または、９４６は図５のプロセス５００、および／または、ここに記述された手法のための他のプロセスを行ったり指示したりし得る。メモリー９４２はＳＭＳメッセージセンタ１４０のためのデータおよびプログラムコードを格納し得る。通信(Comm)ユニット９４８は他のネットワークエンティティとの通信をサポートし得る。
【００６８】
基地局１２０内で、メッセージバッファ９２４はＳＭＳ放送メッセージおよび基地局１２０によって送られるべき他のメッセージを格納し得る。メッセージプロセッサ９２６は、ＳＭＳ放送メッセージのためのシステム放送メッセージ(例えば、データバーストメッセージ)を生成し得るし、例えば上述したように、ＳＭＳ放送メッセージからシステム放送メッセージへのマッピングを行い得る。制御器／プロセッサ９２０は基地局１２０における動作を指示し得る。プロセッサ９２０、および／または、９２６は図６のプロセス６００、および／または、ここに記述された手法のための他のプロセスを行ったり指示したりし得る。メモリー９２２は基地局１２０のためのデータおよびプログラムコードを格納し得る。通信ユニット９２８は他のネットワークエンティティとの通信をサポートし得る。送信機／受信機９３０は無線デバイスとの無線通信をサポートし得る。
【００６９】
無線デバイス１１０内で、メッセージバッファ９１４は放送警報メッセージ、ＳＭＳ放送メッセージ、および無線デバイス１１０によって受信された他のメッセージを格納し得る。メッセージプロセッサ９１６は、システム放送メッセージを受信し、処理し、システム放送メッセージで送られたＳＭＳ放送メッセージを抽出し、およびＳＭＳ放送メッセージで送られた放送警報メッセージを抽出し得る。プロセッサ９１６は、上述したように、システム放送メッセージからＳＭＳ放送メッセージへ、およびさらに放送警報メッセージへのマッピングを行い得る。プロセッサ９１６は重複放送メッセージを探索もし得る。位置決定プロセッサ９１８は位置決めをサポートし、無線デバイス１１０のための位置推定値を計算し、緊急事態のための位置情報を処理し、無線デバイスの位置と緊急事態のための位置情報とに基づいて警戒情報を生成し、等をなし得る。制御器／プロセッサ９１０は無線デバイス１１０における動作を指示し得る。プロセッサ９１０、９１６、および／または、９１８は図７のプロセス７００、図８のプロセス８００、および／またはここに記述した手法のための他のプロセスを行ったり指示したりし得る。メモリー９１２は無線デバイス１１０のためのデータおよびプログラムコードを格納し得る。送信機／受信機９０８は基地局との無線通信をサポートし得る。
【００７０】
図９はＳＭＳメッセージセンタ１４０、基地局１２０、および無線デバイス１１０の代表的な設計を示している。一般に、各エンティティは任意の数の制御器、プロセッサ、メモリー、バッファ、送信機、受信機、通信ユニット、その他を含み得る。
【００７１】
当業者は、情報および信号は様々な異なる技術および手法のいずれかを用いて表され得ることを理解するだろう。例えば、上の記述を通じて参照され得るデータ、指示、命令、情報、信号、ビット、シンボル、およびチップは、電圧、電流、電磁波、磁場もしくは磁性粒子、光学場もしくは光粒子、またはそれらの任意の組合せで表され得る。
【００７２】
当業者は、ここの開示に関連して記述された様々な例示的論理ブロック、モジュール、回路およびアルゴリズムのステップは、電子的ハードウェア、コンピュータソフトウェア、またはその双方の組合せとして実施され得ることをさらに認識するはずである。ハードウェアとソフトウェアのこの互換性を明確に例示するために、様々な例示的構成要素、ブロック、モジュール、回路、およびステップは、一般的にそれらの機能面から上に記述してきた。こうした機能がハードウェアまたはソフトウェアとして実施されるかどうかは、全体のシステムに課せられた特定の用途および設計制約に依存する。当業者は、記述された機能を各特定の用途に対して異なる方法で実施し得るが、このような実施の決定が本開示の範囲からの逸脱を引き起こすと解釈されるべきではない。
【００７３】
ここの開示に関連して記述された様々な例示的論理ブロック、モジュール、および回路は、汎用プロセッサ、ディジタル信号プロセッサ(ＤＳＰ)、特定用途向集積回路(ＡＳＩＣ)、プログラマブルゲートアレイ(ＦＰＧＡ)もしくは他のプログラム可能論理デバイス、個別ゲートもしくはトランジスタ論理、個別ハードウェア部品、またはここに記述した機能を行うように設計されたそれらの任意の組合せで実施または行われ得る。汎用プロセッサは、マイクロプロセッサであり得るが、代替的にはプロセッサは、任意のプロセッサ、制御器(controller)、マイクロ制御器(microcontroller)または状態機械(state machine)であり得る。プロセッサはまた、計算デバイスの組合せ、例えばＤＳＰとマイクロプロセッサ、複数のマイクロプロセッサ、ＤＳＰコアと連係した１つ以上のマイクロプロセッサ、または任意の他のそのような構成、として実施され得る。
【００７４】
ここの開示に関連して記述された方法またはアルゴリズムのステップは、直接ハードウェアで、プロセッサで実行されるソフトウェアモジュールで、またはその２つの組合せで具体化され得る。ソフトウェアモジュールはＲＡＭメモリー、フラッシュメモリー、ＲＯＭメモリー、ＥＰＲＯＭメモリー、ＥＥＰＲＯＭメモリー、レジスタ、ハードディスク、可搬形ディスク、ＣＤ−ＲＯＭ、または当業者に既知の任意の形式の記憶媒体の中にあり得る。代表的記憶媒体は、プロセッサが情報を記憶媒体から読み出しおよび情報を記憶媒体に書き込むことができるようにプロセッサに接続される。代替的には、記憶媒体はプロセッサの構成部品であり得る。プロセッサおよび記憶媒体はＡＳＩＣ内にあり得る。ＡＳＩＣはユーザ端末内にあり得る。代替的に、プロセッサおよび記憶媒体は個別部品としてユーザ端末内にあり得る。
【００７５】
１つ以上の代表的設計において、記述された機能はハードウェア、ソフトウェア、ファームウェア、またはそれらの任意の組合せで実施され得る。ソフトウェアで実施される場合、機能は、コンピュータ可読媒体上に１つ以上の命令またはコードとして組込まれるかまたは伝送され得る。コンピュータ可読媒体はコンピュータ記憶媒体、および１つの場所から他の場所へのコンピュータプログラムの転送を容易にする任意の媒体を含む通信媒体の双方を含む。記憶媒体は、汎用または専用コンピュータによってアクセスされることが可能な任意の利用可能な媒体であり得る。限定としてではなく、例として、こうしたコンピュータ可読媒体は、ＲＡＭ、ＲＯＭ、ＥＥＰＲＯＭ、ＣＤ−ＲＯＭもしくは他の光ディスク記憶、磁気ディスク記憶もしくは他の磁気記憶デバイス、または所望のプログラムコード手段を命令もしくはデータ構造の形式で搬送もしくは格納するために用いられ、かつ汎用もしくは専用コンピュータまたは汎用もしくは専用プロセッサによってアクセス可能な任意の他の媒体、を含むことが可能である。また、いかなる接続も適切にコンピュータ可読媒体と呼ばれる。例えば、ソフトウェアがウェブサイト、サーバ、または他のリモートソースから同軸ケーブル、光ファイバケーブル、撚り線、ディジタル加入者線(ＤＳＬ)、または赤外線、無線、およびマイクロ波のような無線技術を用いて伝送される場合、同軸ケーブル、光ファイバケーブル、撚り線、ディジタル加入者線(ＤＳＬ)、または赤外線、無線、およびマイクロ波のような無線技術は媒体の定義に含まれる。ディスク(ｄｉｓｋ)およびディスク(ｄｉｓｃ)はここに用いられると、コンパクトディスク(ＣＤ)、レーザーディスク(登録商標)、光ディスク、ディジタル多目的ディスク(ＤＶＤ)、フロッピー(登録商標)ディスクおよびブルーレイ(登録商標)ディスクを含む。ここでｄｉｓｋは通常、データを磁気的に再生し、ｄｉｓｃはレーザで光学的にデータを再生する。上記の組合せも、コンピュータ可読媒体の範囲内に含まれるべきである。
【００７６】
本開示のこれまでの記述は、いかなる当業者も本開示を製造しまたは使用することを可能にするために提供されている。本開示に対する様々な変形が容易なことは当業者にとって明らかであろう。また、ここに定義した一般的原理は本開示の範囲から逸脱することなく他の変形例に適用され得る。従って、本開示は、ここに記述した例および設計に限定されることを意図されていず、ここに開示した原理および新規な特徴に矛盾しない最も広い範囲に一致されるべきものである。
以下に本件出願当初の特許請求の範囲に記載された発明を付記する。
[１]  緊急警報のための商用移動警報サービス(Commercial Mobile Alert Service(ＣＭＡＳ))メッセージを受信することと、
前記ＣＭＡＳメッセージを搬送するショートメッセージサービス(ＳＭＳ)放送メッセージを生成することと、
前記ＳＭＳ放送メッセージを無線デバイスへの放送のためのネットワークエンティティへ送ることと、
を含む、通信のための方法。
[２]  前記ＳＭＳ放送メッセージを前記生成することが、
前記ＣＭＡＳメッセージの少なくとも１つのフィールドを前記ＳＭＳ放送メッセージの少なくとも１つのフィールドへマッピングすることと、
前記ＣＭＡＳメッセージの残余のフィールドを前記ＳＭＳ放送メッセージのデータフィールドへマッピングすることと、
を含む、[１]に記載の方法。
[３]  前記ＣＭＡＳメッセージの少なくとも１つのフィールドを前記ＳＭＳ放送メッセージの少なくとも１つのフィールドへ前記マッピングすることが、前記ＣＭＡＳメッセージの識別子フィールドを前記ＳＭＳ放送メッセージの識別子フィールドへ、前記ＣＭＡＳメッセージのカテゴリーフィールドを前記ＳＭＳ放送メッセージのカテゴリーフィールドへ、前記ＣＭＡＳメッセージの警報処理フィールドを前記ＳＭＳ放送メッセージの前記カテゴリーフィールドへ、および前記ＣＭＡＳメッセージの言語フィールドを前記ＳＭＳ放送メッセージの言語フィールドへ、のうちの少なくとも１つのマッピングを含む、[２]に記載の方法。
[４]  前記ＳＭＳ放送メッセージを前記生成することが、前記緊急警報のための情報を提供するウェブサイトに対する統一資源識別子(ＵＲＩ)リンクを含むように前記ＳＭＳ放送メッセージを生成することを含む、[１]に記載の方法。  
[５]  前記ＳＭＳ放送メッセージを前記生成することが、前記緊急警報のための情報を提供する放送チャネルを受信するための前記無線デバイスによって用いられる放送受信情報を含むように前記ＳＭＳ放送メッセージを生成することを含み、前記放送受信情報は前記放送チャネルおよび前記放送チャネルのチャネル番号を送るために用いられる少なくとも１つの無線技術を含む、[１]に記載の方法。
[６]  前記ＳＭＳ放送メッセージを前記生成することが、前記緊急警報を引き起こす緊急事態のための位置情報を含むように前記ＳＭＳ放送メッセージを生成することを含み、前記位置情報は前記緊急事態の座標、前記緊急事態の高度、前記緊急事態の半径、前記緊急事態の移動方向、および前記緊急事態の速度の少なくとも１つを含む、[１]に記載の方法。
[７]  緊急警報のための放送警報メッセージを受信することであって、前記緊急警報のための情報を提供する信号源のためのリンク、放送受信情報、および前記緊急警報を引き起こす緊急事態のための位置情報の少なくとも１つを含む前記放送警報メッセージを受信することと、
前記放送警報メッセージを搬送するショートメッセージサービス(ＳＭＳ)放送メッセージを生成することと、
前記ＳＭＳ放送メッセージを無線デバイスへの放送のためのネットワークエンティティへ送ることと、
を含む、通信のための方法。
[８]  緊急警報のための商用移動警報サービス(Commercial Mobile Alert Service(ＣＭＡＳ))メッセージを受信し、前記ＣＭＡＳメッセージを搬送するショートメッセージサービス(ＳＭＳ)放送メッセージを生成し、前記ＳＭＳ放送メッセージを無線デバイスへの放送のためのネットワークエンティティへ送るように構成された少なくとも１つのプロセッサを含む、通信のための装置。
[９]  前記少なくとも１つのプロセッサが、
前記ＣＭＡＳメッセージの少なくとも１つのフィールドを前記ＳＭＳ放送メッセージの少なくとも１つのフィールドへマッピングし、前記ＣＭＡＳメッセージの残余のフィールドを前記ＳＭＳ放送メッセージのデータフィールドへマッピングするように構成された、[８]に記載の装置。
[１０]  前記少なくとも１つのプロセッサが、前記緊急警報のための情報を提供するウェブサイトに対する統一資源識別子(ＵＲＩ)リンクを含むようにして前記ＳＭＳ放送メッセージを生成するように構成された、[８]に記載の方法。
[１１]  前記少なくとも１つのプロセッサが、前記緊急警報のための情報を提供する放送チャネルを受信するための前記無線デバイスによって用いられる放送受信情報を含むようにして前記ＳＭＳ放送メッセージを生成するように構成された、[８]に記載の方法。
[１２]  前記少なくとも１つのプロセッサが、前記緊急警報を引き起こす緊急事態のための位置情報を含むようにして前記ＳＭＳ放送メッセージを生成するように構成された、[８]に記載の方法。
[１３]  緊急警報のための商用移動警報サービス(Commercial Mobile Alert Service(ＣＭＡＳ))メッセージを搬送するショートメッセージサービス(ＳＭＳ)放送メッセージを受信することと、
前記ＳＭＳ放送メッセージを搬送するシステム放送メッセージを生成することと、
前記システム放送メッセージを無線デバイスへ送ることと、
を含む、通信のための方法。
[１４]  前記システム放送メッセージを前記生成することが、
前記ＣＭＡＳメッセージの少なくとも１つのフィールドを前記システム放送メッセージの少なくとも１つのフィールドへマッピングすることと、
前記ＳＭＳ放送メッセージを前記システム放送メッセージのデータフィールドへマッピングすることと、
を含む，[１３]に記載の方法。
[１５]  前記システム放送メッセージが、関連する１つの放送アドレスを有するデータバーストメッセージを含み、前記ＣＭＡＳメッセージの少なくとも１つのフィールドを前記システム放送メッセージの少なくとも１つのフィールドへ前記マッピングすることが、前記ＣＭＡＳメッセージのカテゴリーフィールドを前記放送アドレスのサービスフィールドへ、前記ＣＭＡＳメッセージの警報処理フィールドを前記放送アドレスの前記サービスフィールドへ、および前記ＣＭＡＳメッセージの言語フィールドを前記放送アドレスの言語フィールドへ、のうちの少なくとも１つのマッピングを含む、[１４]に記載の方法。
[１６]  緊急警報のための商用移動警報サービス(Commercial Mobile Alert Service(ＣＭＡＳ))を搬送するショートメッセージサービス(ＳＭＳ)放送メッセージを受信し、前記ＳＭＳ放送メッセージを搬送するシステム放送メッセージを生成し、前記システム放送メッセージを無線デバイスへ送るように構成された少なくとも１つのプロセッサを含む、通信のための装置。
[１７]  前記少なくとも１つのプロセッサが、前記ＣＭＡＳメッセージの少なくとも１つのフィールドを前記システム放送メッセージの少なくとも１つのフィールドへマッピングするように、および前記ＳＭＳ放送メッセージを前記システム放送メッセージのデータフィールドへマッピングするように、構成された、[１６]に記載の装置。
[１８]  緊急警報のための商用移動警報サービス(Commercial Mobile Alert Service(ＣＭＡＳ))を搬送するショートメッセージサービス(ＳＭＳ)放送メッセージを受信することと、
前記ＳＭＳ放送メッセージの少なくとも１つのフィールドから前記ＣＭＡＳメッセージの少なくとも１つのフィールドを取得することと、
前記ＳＭＳ放送メッセージのデータフィールドから前記ＣＭＡＳメッセージの残余のフィールドを取得することと、
を含む、通信のための方法。
[１９]  前記ＳＭＳ放送メッセージの少なくとも１つのフィールドから前記ＣＭＡＳメッセージの少なくとも１つのフィールドを前記取得することが、前記ＳＭＳ放送メッセージのメッセージ識別フィールドからの前記ＣＭＡＳメッセージの識別子フィールド、前記ＳＭＳ放送メッセージのカテゴリーフィールドからの前記ＣＭＡＳメッセージのカテゴリーフィールド、前記ＳＭＳ放送メッセージの前記カテゴリーフィールドからの前記ＣＭＡＳメッセージの警報処理フィールド、および前記ＳＭＳ放送メッセージの言語フィールドからの前記ＣＭＡＳメッセージの言語フィールド、のうちの少なくとも１つを取得することを含む、[１８]に記載の方法。
[２０]  前記ＳＭＳ放送メッセージを搬送するシステム放送メッセージを受信することと、
前記システム放送メッセージに関係づけられた放送アドレスの少なくとも１つのフィールドから前記ＣＭＡＳメッセージの少なくとも１つのフィールドを取得することと、
前記システム放送メッセージのデータフィールドから前記ＳＭＳ放送メッセージを取得することと、
をさらに含む、[１８]に記載の方法。
[２１]  前記ＳＭＳ放送メッセージから、前記緊急警報のための情報を提供するウェブサイトに対する統一資源識別子(ＵＲＩ)リンクを取得することをさらに含む、[１８]に記載の方法。
[２２]  前記ＳＭＳ放送メッセージから放送受信情報を取得することをさらに含み、前記放送受信情報は前記緊急警報のための情報を提供する放送チャネルを受信するために用いられ、前記放送受信情報は前記放送チャネルおよび前記放送チャネルのチャネル番号を送るために用いられる少なくとも１つの無線技術を含む、[１８]に記載の方法。
[２３]  前記ＳＭＳ放送メッセージから緊急事態のための位置情報を取得することをさらに含み、前記位置情報は、前記緊急事態の座標、前記緊急事態の高度、前記緊急事態の半径、前記緊急事態の移動方向、および前記緊急事態の速度の少なくとも１つを含む、[１８]に記載の方法。
[２４]  無線デバイスの位置を決定することと、
前記無線デバイスの前記位置と前記緊急事態のための前記位置情報とに基づいて警戒情報を生成することと、
をさらに含む、[２３]に記載の方法。
[２５]  緊急警報のための商用移動警報サービス(Commercial Mobile Alert Service(ＣＭＡＳ))を搬送するショートメッセージサービス(ＳＭＳ)放送メッセージを受信し、前記ＳＭＳ放送メッセージの少なくとも１つのフィールドから前記ＣＭＡＳメッセージの少なくとも１つのフィールドを取得し、前記ＳＭＳ放送メッセージのデータフィールドから前記ＣＭＡＳメッセージの残余のフィールドを取得するように構成された少なくとも１つのプロセッサを含む、通信のための装置。
[２６]  前記少なくとも１つのプロセッサが、前記ＳＭＳ放送メッセージを搬送するシステム放送メッセージを受信するように、前記システム放送メッセージに関係づけられた放送アドレスの少なくとも１つのフィールドから前記ＣＭＡＳメッセージの少なくとも１つのフィールドを取得するように、および前記システム放送メッセージのデータフィールドから前記ＳＭＳ放送メッセージを取得するように、構成された、[２５]に記載の装置。
[２７]  前記少なくとも１つのプロセッサが、前記ＳＭＳ放送メッセージから、前記緊急警報のための情報を提供するウェブサイトに対する統一資源識別子(ＵＲＩ)リンクを取得するように構成された、[２５]に記載の装置。
[２８]  前記少なくとも１つのプロセッサが、前記ＳＭＳ放送メッセージから放送受信情報を取得するように構成され、前記放送受信情報は前記緊急警報のための情報を提供する放送チャネルを受信するために用いられる、[２５]に記載の装置。
[２９]  前記少なくとも１つのプロセッサが、前記ＳＭＳ放送メッセージから緊急事態のための位置情報を取得するように構成され、前記位置情報は、前記緊急事態の座標、前記緊急事態の高度、前記緊急事態の半径、前記緊急事態の移動方向、および前記緊急事態の速度の少なくとも１つを含む、[２５]に記載の装置。
[３０]  緊急警報のための商用移動警報サービス(Commercial Mobile Alert Service(ＣＭＡＳ))を搬送するショートメッセージサービス(ＳＭＳ)放送メッセージを受信するための手段と、
前記ＳＭＳ放送メッセージの少なくとも１つのフィールドから前記ＣＭＡＳメッセージの少なくとも１つのフィールドを取得するための手段と、
前記ＳＭＳ放送メッセージのデータフィールドから前記ＣＭＡＳメッセージの残余のフィールドを取得するための手段と、
を含む、通信のための装置。
[３１]  前記ＳＭＳ放送メッセージを搬送するシステム放送メッセージを受信するための手段と、
前記システム放送メッセージのための放送アドレスの少なくとも１つのフィールドから前記ＣＭＡＳメッセージの少なくとも１つのフィールドを取得するための手段と、
前記システム放送メッセージのデータフィールドから前記ＳＭＳ放送メッセージを取得するための手段と、
をさらに含む、[３０]に記載の装置。
[３２]  前記ＳＭＳ放送メッセージから、前記緊急警報のための情報を提供するウェブサイトに対する統一資源識別子(ＵＲＩ)リンクを取得するための手段をさらに含む、[３０]に記載の装置。
[３３]  前記ＳＭＳ放送メッセージから放送受信情報を取得するための手段をさらに含み、前記放送受信情報は前記緊急警報のための情報を提供する放送チャネルを受信するために用いられる、[３０]に記載の装置。
[３４]  前記ＳＭＳ放送メッセージから緊急事態のための位置情報を取得するための手段をさらに含み、前記位置情報は、前記緊急事態の座標、前記緊急事態の高度、前記緊急事態の半径、前記緊急事態の移動方向、および前記緊急事態の速度の少なくとも１つを含む、[３０]に記載の装置。
[３５]  少なくとも１つのコンピュータに、緊急警報のための商用移動警報サービス(Commercial Mobile Alert Service(ＣＭＡＳ))を搬送するショートメッセージサービス(ＳＭＳ)放送メッセージを受信させるためのコードと、
前記少なくとも１つのコンピュータに、前記ＳＭＳ放送メッセージの少なくとも１つのフィールドから前記ＣＭＡＳメッセージの少なくとも１つのフィールドを取得させるためのコードと、
前記少なくとも１つのコンピュータに、前記ＳＭＳ放送メッセージのデータフィールドから前記ＣＭＡＳメッセージの残余のフィールドを取得させるためのコードとを含むコンピュータ可読媒体を含む、コンピュータプログラム製品。
[３６]  関連する１つの放送アドレスを有するデータバーストメッセージを受信することと、緊急警報のための商用移動警報サービス(Commercial Mobile Alert Service(ＣＭＡＳ))をさらに搬送するショートメッセージサービス(ＳＭＳ)放送メッセージを搬送することと、
前記データバーストメッセージのための前記放送アドレスの少なくとも１つのフィールドから前記ＣＭＡＳメッセージの少なくとも１つのフィールドを取得することと、
前記データバーストメッセージのデータフィールドから前記ＳＭＳ放送メッセージを取得することと、
前記ＳＭＳ放送メッセージの１つ以上のフィールドから前記ＣＭＡＳメッセージの１つ以上のフィールドを取得することと、
前記ＳＭＳ放送メッセージのベアラデータフィールドから前記ＣＭＡＳメッセージの残余のフィールドを取得することと、
を含む、通信のための方法。
[３７]  無線ネットワークから放送メッセージを受信することと、
前記受信された放送メッセージのすべてまたは一部分に基づいてハッシュダイジェストを生成することと、
前記生成されたハッシュダイジェストを、格納された放送メッセージに対するハッシュダイジェストと比較することと、
前記比較の結果に基づいて前記受信された放送メッセージを格納するかまたは廃棄するかを決定することと、
を含む、通信のための方法。
[３８]  前記受信された放送メッセージを格納するかまたは廃棄するかを前記決定することが、
前記生成されたハッシュダイジェストが前記格納された放送メッセージに対する前記ハッシュダイジェストのいずれとも合致しない場合、前記受信された放送メッセージを格納することと、
前記生成されたハッシュダイジェストが前記格納された放送メッセージに対する前記ハッシュダイジェストのいずれかと合致する場合、前記受信された放送メッセージを廃棄することと、
を含む、[３７]に記載の方法。
[３９]  前記受信された放送メッセージが、ショートメッセージサービス(ＳＭＳ)放送メッセージ、緊急警報のための放送警報メッセージ、商用移動警報サービス(Commercial Mobile Alert Service(ＣＭＡＳ)メッセージ、またはシステム放送メッセージを含む、[３７]に記載の方法。
[４０]  無線ネットワークから放送メッセージを受信するように、前記受信された放送メッセージのすべてまたは一部分に基づいてハッシュダイジェストを生成するように、前記生成されたハッシュダイジェストを、格納された放送メッセージに対するハッシュダイジェストと比較するように、および前記比較の結果に基づいて前記受信された放送メッセージを格納するかまたは廃棄するかを決定するように、構成された少なくとも１つのプロセッサを含む、通信のための装置。
[４１]  前記少なくとも１つのプロセッサが、前記生成されたハッシュダイジェストが前記格納された放送メッセージに対する前記ハッシュダイジェストのいずれとも合致しない場合、前記受信された放送メッセージを格納するように、および前記生成されたハッシュダイジェストが前記格納された放送メッセージに対する前記ハッシュダイジェストのいずれかと合致する場合、前記受信された放送メッセージを廃棄するように構成された、[４０]に記載の装置。
【図１】
0005502886.tif 000018
【図２】
0005502886.tif 000019
【図３】
0005502886.tif 000020
【図４】
0005502886.tif 000021
【図５】
0005502886.tif 000022
【図６】
0005502886.tif 000023
【図７】
0005502886.tif 000024
【図８】
0005502886.tif 000025
【図９】
0005502886.tif 000026